(57)【要約】      （修正有）【課題】遊技盤の遊技領域内に入賞域を設定し、これを入賞装置として遊技盤と一体化したパチンコ遊技機の入賞装置を提供する。【解決手段】遊技盤１の遊技領域３内に入賞域を設定し、前記遊技領域３若しくは入賞域に飛入球受口１４を開設すると共に、入賞域には上記飛入球の放出口１５，１６，１７を複数個開設する。その一方、前記入賞域１２の背後には横方向に水平移動する縦軸１９と縦方向に上下移動する横軸２０を交差状に配置してその交点に球受部を備える移動体１８を滑合させ、前記飛入球受口１４に受けられた打球Ｐを前記移動体の球受部に受けて予め設定する遊技条件に基づいて前記いずれかの放出口１５，１６，１７に移送し、この放出口を通して再び遊技盤前面の前記入賞領域に放出してこの放出口に組合せた入賞口５９に確実に、或は優先的に飛入可能にする。【選択図】図１３
2009153632.tif 000002
【特許請求の範囲】
【請求項１】
遊技盤の遊技領域内に入賞域を区画設定し、遊技領域若しくは該入賞域内に飛入球受口を設けると共に、該入賞域内に複数個の飛入球の放出口を開設し、一方前記遊技領域の背後には前記入賞域を囲んで上下、左右にそれぞれ並行するガイドを付設してそれぞれのガイドに摺動体を摺動自由に滑合すると共に、上下、左右の摺動体間に縦軸及び横軸を渡架し、前記入賞域の背後において縦横直交状に配置し、且つ該縦、横軸の交差部に球受部を備える移動体を滑合させて前記ガイドに沿って移動する上下、左右の摺動体の移動に伴う縦、横軸の上下、左右の移動、及びこの移動に伴う前記交差部の上下、左右方向の移動によって前記移動体を前記飛入球受口の背後から前記いずれかの放出口の間を移動させ、飛入球受口を通して前記球受部に受けた球を前記放出口を通して再び前記入賞域の前面側に放出し、入賞域若しくは遊技領域に設ける入賞口に入賞する機会を与えるようにしたことを特徴とするパチンコ遊技機の入賞装置。
【請求項２】
遊技領域内に区画設定する入賞域は透明板によって構成し、縦、横軸の移動に伴って移動する移動体を遊技盤の前面側から透視できるようにしたことを特徴とする請求項１に記載のパチンコ遊技機の入賞装置。
【請求項３】
遊技領域内に遊技盤を切欠いて窓を開設し、該窓の内部に透明板を嵌め込み固定することにより入賞域を形成するようにしたことを特徴とする請求項１に記載のパチンコ遊技機の入賞装置。
【請求項４】
入賞域内に開設される放出口の少なくとも１つは飛入球受口の設置位置より上方に開設したことを特徴とする請求項１乃至３のいずれかに記載のパチンコ遊技機の入賞装置。
【請求項５】
入賞域内に開設される放出口の少なくとも１つの放出口の直下に放出球を受ける入賞口を設置したことを特徴とする請求項１乃至４に記載のパチンコ遊技機の入賞装置。
【請求項６】
上下、左右のガイドに各滑合する上下及び、左右の摺動体間にそれぞれ同期軸を渡す一方、上下、左右のそれぞれ一方のガイドに駆動用のモータを装備して、該モータの駆動により上下及び左右の摺動体を個別に摺動させ、縦、横軸を個別に移動させるようにしたことを特徴とする請求項１乃至５に記載のパチンコ遊技機の入賞装置。
【発明の詳細な説明】
【技術分野】
【０００１】
本発明は、パチンコ遊技機の遊技盤面内に設置される入賞装置に関する。
【背景技術】
【０００２】
パチンコ遊技機において、遊技盤前面の遊技領域内に打ち出された打球は、重量によって落下し、落下の途中で障害釘に衝突することによって、或は打球を誘導するガイドによって任意に、或は所定の方向に誘導され、振分けられる。
この振分けの原理は遊技領域内に設置される入賞装置においても全く同じである。遊技領域を落下する過程で入賞装置に受けられた打球は、装置の中に組入れられた振り分け通路等を通ることで更に振り分けられ、或は動力で駆動される振り分け装置によって通路を変更する等、様々な流路変更が加えられ、最終的に入賞装置の中で振分けの結果から入賞球の放出数に差を付ける等の処理が行われるものとなっている。
【０００３】
つまり、パチンコ遊技機においては、動力によって振り分けが行われる場合を除いて遊技盤面内、つまり遊技領域内に打ち出された打球は、この遊技領域内を落下する場合も、また入賞装置に入賞した場合も、球の自重による落下を通して振り分けられるものとなっており、この間、落下した位置から上方に戻ることはなく、常に下方に向けて落下し、その過程において振り分けが行われるものとなっている。
そして、入賞装置にあっては動力を使って振り分ける場合においても、例えば特許文献１に見られるように誘導回転体４０に乗せてその回転に合せて振り分ける場合でも、最大打球が上昇できる領域は、この誘導回転体４０の回転範囲に止るものであり、しかもこの誘導回転体４０自体が設置される空間の中での移動に止まるものであり、その移動は定形化されたものとなる。
【特許文献１】特開２００２−１５９６６５号公報。
【発明の開示】
【発明が解決しようとする課題】
【０００４】
従って、本発明は、一つの目的として遊技領域に打ち出された打球が常に落下を通して流路を変更し、振り分けられることの単純さと、仮に動力を得て落下する過程で多少の位置上昇があったとしても、全体的には下方に向けての移動の中でしか振り分けの変化を示すことができない従来のパチンコ遊技機に鑑み、遊技領域内部において、一旦落下した位置から再上昇を果して、再度の落下に挑むことができるパチンコ遊技機、更に言えばパチンコ遊技機の遊技領域内に組込まれる入賞装置を提案しようとするものである。
【０００５】
本発明における１つの特徴は、遊技盤の遊技領域の一部を入賞装置に組入れるとにあり、この入賞装置内に入賞した球の移動を自由にする移動装置を組入れたことにある。そして、更に言えばこの移動装置により入賞した打球の移動について、入賞位置から上昇移動することは固より、更に下方に向っても、また左右方向にも、斜め上下の方向にも自由に移動送球して、送球した位置からこの球を放球し、再度遊技に復帰させ、或は最終的な入賞球とすることを可能にしたパチンコ遊技機の入賞装置を提供することにある。
【課題を解決するための手段】
【０００６】
本発明は、上記目的を達成するために、遊技盤前面の遊技領域内の一部に入賞装置となる入賞域を設定し、前記遊技領域若しくは入賞域内に打球を受け入れる飛入口を設けると共に、更に前記入賞域内に受け入れた打球、つまり前記飛入球を前面に向かって放出する飛入球の放出口を複数開設し、その一方、前記入賞域の背後に前記飛入口において受取った飛入球を前記それぞれの放出口に移送する移送装置を組込み、予め設定する条件に従っていずれかの放出口に運び、ここから入賞口の前面に放出して遊技領域内における遊技に復帰させ、或るものは放出口の直下に設置する入賞口に、また或るものはそのまま放出することによって遊技を楽しめるようにしたパチンコ遊技機の入賞装置を提供しようとするものである。
【０００７】
更に詳述すれば、本発明は、遊技盤の遊技領域内に入賞域を区画設定し、遊技領域若しくは該入賞域内に飛入球受口を設けると共に、該入賞域内に複数個の飛入球の放出口を開設し、その一方前記遊技領域の背後に前記入賞域を囲んで上下、左右にそれぞれ並行するガイドを付設してそれぞれのガイドに摺動体を摺動自由に滑合すると共に、該上下、左右の摺動体間に縦軸及び横軸を渡架し、これにより該縦、横の軸を前記入賞域の背後において縦横直交状に配置し、その交差部に球受部を備える移動体を滑合させ、前記ガイドに沿って移動する前記上下、左右の摺動体の移動に伴う前記縦、横軸の上下、左右の移動、及びこの移動に伴う前記交差部の上下、左右方向の移動によって前記移動体を前記飛入球受口の背後から前記いずれかの放出口との間を移動させ、この飛入球受口を通して前記球受部に受けた球を前記放出口を通して再び前記入賞域の前面側に放出し、入賞域若しくは遊技領域に設ける入賞口に入賞する機会を与えるようにしたパチンコ遊技機の入賞装置を提供することにある。
【０００８】
また本発明は、前記遊技領域内に区画設定する入賞域を透明板によって構成し、縦、横軸の移動に伴って移動する移動体を遊技盤の前面側から透視できるようにしたことを特徴とするパチンコ遊技機の入賞装置を提供することにある。
【０００９】
更にまた、本発明は、前記遊技領域内に遊技盤を切欠いて窓を開設し、該窓の内部に透明板を嵌め込み固定することにより入賞域を形成するようにしたことを特徴とするパチンコ遊技機の入賞装置を提供することにある。
【００１０】
また本発明は、前記入賞域内に開設される放出口の少なくとも１つは飛入球受口の設置位置より上方に開設したことを特徴とするパチンコ遊技機の入賞装置を提供することにある。
【００１１】
また本発明は、前記入賞域内に開設される放出口の少なくとも１つの放出口の直下に放出球を受ける入賞口を設置したことを特徴とするパチンコ遊技機の入賞装置を提供することにある。
【００１２】
また本発明は、前記上下、左右のガイドに各滑合する上下及び、左右の摺動体間にそれぞれ同期軸を渡す一方、上下、左右のそれぞれ一方のガイドに駆動用のモータを装備し、該モータの駆動により上下及び左右の摺動体を個別に摺動させ、縦、横軸を個別に移動させるようにしたことを特徴とするパチンコ遊技機の入賞装置を提供することにある。
【００１３】
ところで、上記本発明に係る入賞装置は、遊技領域内に設定する入賞域を入賞装置の一部にすることによって遊技盤の遊技領域と入賞装置とを一体化するものであり、遊技領域内を落下する球と、一旦飛入球受口に受けられ、入賞装置内に取り込まれた飛入球とを同様に取り扱いながら入賞装置に飛入した球は、放出口に臨ませる入賞口に有利に飛入するよう設定することによって差別化し、入賞装置としての機能を果たすようにしているのである。
【００１４】
そして、本発明は入賞装置の一部を構成する入賞域の背後にガイドによって誘導される縦、横の軸の移動、そしてこの移動に伴って移動する両軸の交差部の移動を、この交差部に滑合する移動体に置き換えて、この移動体に備える球受部により前記入賞域の一定位置に備える飛入口に飛入した飛入球をこれから任意の位置に設ける放出口のいずれかに送り届け、再び入賞域の前面に放出することができる移送手段を組み込むことによって上記飛入球を上下方向に、また左右方向に、そして斜め上下方向に自由に移送し、放出できるようにしているのである。
【００１５】
上記本発明における移送手段については、前述したことから明らかなように、入賞域の背後にあって直交する２軸、即ち縦方向の縦軸と横方向の横軸とが個別に各軸において並行移動することにより、両軸の交点、つまり交差部が移動するのを利用するものであり、上記交点の移動と共にこれに滑合する移動体を追随させて移動させるものであり、これによって、前記上下、左右のガイドによって囲まれる中で縦横斜めの全方向の移動を可能にし、これに伴わせて移動体に付設する球受部で飛入した球を上下を含む任意の方向に移送することを可能にしている。
【００１６】
尚、上記移送手段において、縦横の２軸はその交差部が移動するとき、この移動と共に移動体が円滑に追随し、移動するものとなっているが、移動体の移動は縦横の２軸に同時に滑合して縦軸が左右方向に横移動するとき、横軸をガイドに横移動し、また横軸が上下方向に移動するとき縦軸をガイドに上下移動することになり、移動する力と移動方向へのガイドとを交錯する２軸に分担させることになっており、移動体は自動的に２軸の交点の移動と共に移動することになっている。
【００１７】
前記遊技領域内に設定される入賞域は、遊技盤の一部を使って不透明な板によって構成してもよいが、前述したように当該部分を透明板とすると、前記移送手段を構成する縦横の軸や移動体の位置や移動の状況を遊技盤の前面側から覗くことができる。そして、このことから飛入口から打球が飛入した場合には、この飛入球を移動体が目的の放出口に移送する姿を確認することができることになる。
【００１８】
遊技領域若しくは入賞域の前面に設けられる打球の飛入口には検出器を設置し、打球の飛入を検出することになる。そして、この検出器において飛入を検出したとき、遊技制御装置に予め設定しておく遊技機能に合わせて前記移送手段の摺動体を駆動するモータを起動して縦軸又は横軸を個別に、または同時に移動させ、両軸の交差部の移動により移動体を移動させて飛入した球を予め設定する目的の放出口へ運び、入賞域の前面に放出することになる。
【００１９】
この飛入球の移送は、前記遊技制御装置における遊技の設定により自由であり、飛入口に打球を受ける度に順番に放出口を変えて送っても、また制御装置内部に抽選手段を組み込んでランダムに放出口を選択し、これに送り届けるようにしてもよい。
尚、移送手段による飛入口から放出口への移送には所要の時間を要することから飛入口には複数個の飛入球を受け入れ待機させる部所を設け、連続して飛入した場合は順次送り出すことになる。
【００２０】
放出口は、入賞域の範囲のいずれに設けてもよく、その個数も限定されない。放出の変化を演出するためには上下、左右に分散した状態で設置されるとよい。
この放出口は、出口の直下に入賞口を設置するものと、これらの入賞口を備えないものとを適宜組合せて設置すると、遊技に変化を付けることができる。
つまり、放出口から放出された球は、入賞域の前面に飛び出すだけであり、遊技盤前面における遊技に復帰するだけであるが、特定の放出口に入賞口を対峙させ、この放出口から放出された球について高い確率で入賞するようにすると、遊技者に高い関心を持たせることができ、入賞装置としての効果を高めることができる。
【００２１】
ところで、上記放出口と入賞口との組合せは任意自由に選択することができるが、入賞口と直接関係しない放出口から放出された球は、障害釘などの誘導を通して他の入賞口に入賞するか、入賞の機会を失ってそのままアウト球となる。
【発明の効果】
【００２２】
従って、上述の構成から本発明によれば、遊技領域内に入賞域を設定して遊技盤と入賞装置とを一体の構造とすることから従来に無い全く新規な入賞装置を提供することができると共に、上記入賞域を不透明にした場合には飛入口から飛入した球がどの放出口から放出されるかの神秘性を遊技者に与えることができ、またこの入賞域を透明にした場合は、飛入口において移動体の球受部に受けられた打球がいずれかの放出口に移送される状態を追跡視認させることができるため、遊技者はこの変化を遊技をしながら楽しむことができることになる。
【００２３】
しかも、上記移送は遊技制御装置に設定する移送のプログラムによって自由に決めておくことができ、遊技者が予測できない移送を実行することができるので遊技者に予定しておくことのできない一種の期待感を持たせて飛入球を追跡する楽しみを与えることができる。
【００２４】
また一方、本発明の入賞装置は、前記移送手段の縦軸と横軸の交差部の移動、そしてこの交差部の移動に伴う移動体の移動が入賞域の全域に及ぶことから、飛入球を上下、左右に移送することができる。この結果、下に設ける飛入口から上の設ける放出口に移送して飛入球を放出することができるものとなることから、遊技盤を落下した打球を下に設ける飛入口に受け、これを上方に設ける放出口に揚送して再度上方から放出すると言った従来入賞装置においては見ることができなかった球の動きを遊技者に見せること、そしてその変化を楽しませることができる。
【発明を実施するための最良の形態】
【００２５】
次に、本発明を実施の形態に基づき具体的に説明し、その特徴を明らかにする。
添付の図面は、本発明に係る入賞装置の一実施形態を示したものであり、図１は使用状態を示す遊技盤の斜視図、図２は図１の遊技盤を背面側から見た斜視図、図３は遊技盤に対する移送手段の取付状態を説明する斜視図、図４は図３の背面側から見た斜視図、図５は図４の移送手段のカバーを取り除いた斜視図で、図６は移送手段の拡大斜視図であり、図７は移送手段から遊技盤に対する取付枠を取り除いた状態の斜視図、図８は移送手段からカバーを取り除いた斜視図である。
【００２６】
ここに示す遊技盤１は所謂分離式パチンコ遊技機における遊技盤である。前面には発射装置からの打球Ｐを誘導する打球誘導路２を形成し、且つ遊技盤前面中央部を囲んで遊技領域３を形成するバンド４が取付けてある。
上記バンド４の内側に沿って左右に入賞口５，５、６，６を配置し、更に装飾用のランプ７，７を設けて、内側下縁部には開閉する扉８を備えた大入賞口９を、更にその下方にアウト球口１０を開口している。
【００２７】
遊技領域３には略中央部に大きく開口する矩形の穴１１を開設し、この穴によって遊技領域３と本発明に係る入賞装置とを画する入賞域１２を形成する。この入賞域１２はここでは上記穴１１を被い遊技盤１の前面と面一になる蓋板にしてあり、この蓋板つまり入賞域１２の背後に移送手段となる移送装置１３が取付く。
上記入賞域１２となる蓋板は、実質的に穴１１を閉塞した状態において遊技領域３の一部を構成し、その前面部には打球Ｐを受け入れる飛入口１４を備え、更に複数個の飛入球の放出口１５，１６，１７を開設する。
【００２８】
入賞域１２を含む遊技領域３の全面には図示しない多数の障害釘を適宜配置し、打球誘導路２を通して打ち出される打球Ｐを左右に振り分けるものとし、前記飛入口１４に打球Ｐが飛入したとき、この球を受入れ孔１４ａを通して背後に誘導し、背面側において待機する前記移送装置１３の移動体となる球受部１８に受け取り、この打球Ｐを図示しない遊技制御装置において予め設定する球振り分け制御手段によって前記上部に配置する上部放出口１５に、或は下部の外れゾーンに配置する左右の放出口１６，１６に、或は又下部の当りゾーンに配置する下部中央の放出口１７に送り届けることになる。
【００２９】
移送手段である前記移送装置１３は、直交状に交差する縦軸１９と横軸２０を有し、更に上記縦軸１９を左右方向に往復移動させる上下のガイド、つまりガイド手段２１，２１と、横軸２０を上下方向に往復移動させる左右のガイドたるガイド手段２２，２２とを有し、これら上下及び左右のガイド手段２１,２２によって矩形の枠形に構成してある。
尚、この移送装置１３を構成する上下、左右のガイドは、前記遊技領域３の背後にあってこの内部に形成される入賞域１２を取り囲むように矩形の枠形に沿って配置形成されることになる。
以下、これらガイド手段を含む移送装置１３について、図面に従って更に詳述することにする。
【００３０】
移送装置１３は、遊技盤１に形成される前記矩形の穴１１を背面側において取り囲むように矩形に形成され、穴の上下の２辺に沿ってガイド手段２１，２１を、そして左右の２辺に沿ってガイド手段２２，２２を配置して矩形の枠をなすように構成している。なお、ここでは上記穴１１の形状に合せてあるが、ガイド手段２１，２２を上下において、また左右において各並行に設定することによって移送装置１３は矩形に組立てられることになる。
【００３１】
上記各ガイド手段２１，２２は、それぞれカバー２３，２４によって被い、矩形に形成した取付枠２５にこのカバー２３，２４をねじ２６，２６で固定して組付け、移送装置１３を構成している。そして、この移送装置１３はこの取付枠２５を遊技盤１の背面にねじ２７，２７で止め付けることで一体に組付けている。
【００３２】
さて、移送装置１３における２組のガイド手段２１，２２は、共に上下及び左右のものが対になっている。これをカバー２３，２４を外した図５と図８に従って説明すると、先ず、上下のガイド手段２１，２１は対称をなし、それぞれガイドを構成する並行する２本のガイドバー２８，２８を渡し、これらの両端部を前記カバー２３の端部に支持させ、更にこの両ガイドバー２８，２８の間に摺動体２９を滑合し支持するようにしてある。
【００３３】
前記ガイドバー２８，２８の両端部の近くの各中間位置には一対のプーリー３０，３０を設置し、これに無端のベルト３１を張架し、一方のプーリー３０に設けるギャ３２に駆動モータ３３の回転によって回転されるギャ３４を噛合させ、更に上記ベルト３１に前記摺動体２９をベルト止め３５により固定している。
従って、駆動モータ３３が駆動し、プーリー３０，３０が運行すると、これに伴って摺動体２９がガイドバー２８，２８に沿って移動し、駆動モータ３３が正逆に回転を変えると、これに伴って摺動体２９は左右方向に移動方向を変えることになる。
【００３４】
図中、３６は上下のガイド手段２１，２１を同期連動させるための同期軸である。この軸３６は上下において向い合うプーリー３０，３０間に渡り、上方のガイド手段２１におけるプーリー３０が駆動モータ３３によって回転すると、同時に回転し、下方のガイド手段２１のベルト３１を運行して下方の摺動体２９を前記上方の摺動体２９と同一方向に移動させることになる。
そして、この上下において同一方向に移動することになる上下の摺動体２９，２９間には前記縦軸１９が渡り、摺動体２９，２９の左右方向の移動に伴ってこの縦軸１９は縦方向の姿勢を維持したまゝ移動することになる。
【００３５】
また、図中３７は駆動モータ３３の駆動によって運行されるベルト３１に従って左右方向に移動することになる摺動体２９の位置、つまり上下の摺動体２９，２９間に渡って共に左右に移動する縦軸１９の移動位置を回転によって電気信号に変換し、図示しない遊技制御回路に絶対位置信号として発信するポテンションメータである。このポテンションメータ３７は前記駆動モータ３３のギヤ３４に回転ギヤ３８を噛合させることで同時回転する。
【００３６】
上記縦軸１９を左右方向にガイドする上下のガイド手段２１，２１は、摺動体２９の駆動源となる駆動モータ３３，ポテンションメータ３７を除いて並行するガイドバー２８，２８、プーリー３０，３０、プーリー間に張架した無端のベルト３１,ベルト３１によってガイドバー２８に沿って運行する摺動体２９、等の機構部品を全て共通に保有し、上下において対称形をなすように設備され、またこの上下のガイド手段２１，２１は前記同期軸３６によって連動し、上下の摺動体２９，２９を同時に摺動させることによって１本の縦軸１９を常時垂直に起立した姿勢を保持して左右方向に自在に移動できるようにしてある。
【００３７】
一方、左右に設備される縦のガイド手段２２，２２もカバー２４，２４によって被われる内部には前記上下のガイド手段２１，２１と同様のガイドを構成する機構部品を組込むことによって構成されている。
つまり、左右のガイド手段２２，２２はそれぞれ縦に揃えた並行する２本のガイドバー３９，３９をカバー２４に両端部を固定して備え、このガイドバー３９，３９に摺動体４０を摺動自由に滑合支持すると共に、ガイドバー３９，３９の両端部の間にそれぞれプーリー４１，４１を回転自由に軸承して、このプーリー間にベルト４２を張架し、前記摺動体４０のベルト止め４３を介してこのベルト４２と連結してベルトの運行により摺動体４０が前記ガイドバー３９に沿って上下方向に移動ができるように構成しているのである。
【００３８】
そして、上部において左右向い合せとなる上部プーリー４１，４１間に同期軸４４を渡し、左右のガイド手段２１，２１が同時連動するようにしてある。そして、ここでも同じように遊技盤１の前面側から見て右方のガイド手段２１（図７，８を参照）に駆動のモータ４５を配置してギヤ４６，４７を介して上部のプーリー４１を回転させ、前記ベルト４２を運行すると同時に、同期軸４４によって左方のガイド手段２２のベルト４２を運行できるようにしてある。そして更にこの右方のガイド手段２１にギヤ４８によってモータ４５の回転を受けるポテンションメータ４９を設備し、摺動体４０，４０の移動によって上下に移動する横軸２０の移動位置を電気信号として前記図示しない遊技制御回路に発信するようにしてあるのである。
【００３９】
ところで、上下のガイド手段２１，２１に備えられる摺動体２９，２９間に渡り、縦方向（垂直方向）に支持される縦軸１９と、左右のガイド手段２２，２２の摺動体４０，４０間に渡って横方向（水平方向）に支持される横軸２０とは直接接触しないように同一平面上に位置するのを避けて前後に位相させてあり、常にここでは横軸２０が前に、縦軸１９が後に位置して互いに上下、左右のガイド手段２１，２２に囲まれる矩形の枠形空間内で直交状に交差するように支持されるようにしてある。
【００４０】
そして、上方のガイド手段２１と右方のガイド手段２２にそれぞれ備えるモータ３３，４５の駆動を受けて縦軸１９は左右方向に、つまりＸ軸方向に移動し、また横軸２０は上下方向に、つまりＹ軸方向に移動して両軸の交差部５０を上下、左右に移動させ、この交差部５０に滑合支持する前記球受部１８をこの交点５０の移動に追随させるようにしてあるのである。
【００４１】
図９乃至図１２は上記球受部１８の構造と、上下、左右方向に交差する縦軸１９と横軸２０との関係を示した拡大斜視図であり、次にこれらの図面に従って説明することにする。
移動体となる上記球受部１８は、前方に向けて１個のパチンコ球Ｐを受け取ることができる受部５１を備える本体部５２と、この本体部５２の背面から突き出す４本の滑合軸５３と、それぞれの滑合軸５３に前後に重ね合せにして回転自由に軸承されるローラー５４，５５と、ローラーの外れ止めとなり、縦，横軸１９，２０との結合関係を維持する止め板５６から構成されている。
【００４２】
本体部５２は短尺な円柱形に形成してあり、前面部に球受凹部５７を形成した受部５１を突設し、球受凹部５７に１個のパチンコ球Ｐを受け取ることができるようにしてある。
４本の滑合軸５３はそれぞれの間に縦，横軸１９，２０を通すことの出来る間隔を開けて等間隔に植設してあり、左右に並ぶ上下２本づつの軸相互は各水平に、また上下に並ぶ左右の２本づつの軸相互は各垂直方向に揃うようにして、この４本の滑合軸５３の間に上下左右方向に交差する２本の縦，横軸１９，２０を通し、両軸の交差部、つまり交点５０に球受部１８を接近した状態に臨ませることができるようにしてある。
【００４３】
上記各滑合軸５３に各前後して軸承されるローラー５４，５５は、前方に位置するローラー５４については横軸２０に、後方に各位置するローラー５５については縦軸１９にそれぞれ滑合させ、これらの軸に沿って上下左右に移動する際に円滑に移動できるようにするもので、ここでは各軸１９，２０とのより安定した滑合が得られるために各ローラー５４，５５は縦，横軸の断面形状に合せた半円形の溝付きローラーとしている。
【００４４】
縦，横軸１９，２０に対する球受部１８の組付け手順は任意であるが、本体部５２に植設する各滑合軸５３にそれぞれのローラー５４を軸承させるのに併せて横軸２０を通し、次にローラー５５を軸承させるのに併せて縦軸１９を通してこの球受部１８の背面側で縦，横軸を交差させ、次に止め板５６を背後から添わせて４本の滑合軸５３の軸端を止め板５６に開設する透孔に圧入することで固定し、組付を完了するようにしてもよい。
【００４５】
本発明入賞装置は上述の如く構成されるもので、次に打球Ｐの移送を通して説明することにする。
図１３から図１７は、遊技領域３の中央部に装着される蓋板、つまり入賞域１２の前面に設置される飛入口１４に打球が飛入したとき、この飛入球Ｐが次にどの様に操作されるかを説明した斜視図である。
【００４６】
入賞域１２を形成する蓋板は、前述したように遊技領域３に開設する矩形の穴１１を前面側から塞ぎ、遊技盤１と一体をなすものであり、４隅に揉み込む止めねじ５８によって固定され、その前面を遊技盤１の前面に一致させる。そして、図示しないが前面部の適宜の位置に障害釘を植設配置し、打球の流れを左右に振り分け、誘導するものにしてあり、この障害釘に誘導された打球Ｐが飛入口１４に飛入したとき、移送手段たる移送装置１３が作動を開始することになる。
【００４７】
飛入口１４には図示しない検出用の近接スイッチを内蔵する。打球Ｐが飛入すると、これを検出して図示しない遊技制御装置の遊技回路に打球の到着信号を発信し、この遊技回路に組込む抽選回路を起動して入賞域１２に開設する放出口１５，１６，１７のいずれに転送すべきかの抽選に入り、その結果により、決定した放出口に上記飛入球Ｐを送り届けることになる。
【００４８】
飛入口１４は図示する如く上方に向けて開口部を有するポケット型に形成してあり、飛入した打球Ｐは、前記近接スイッチを作動させると共に、蓋板を貫通する穴通路を通して背面側に抜け出し、この穴通路に後方から臨む移送装置１３の球受部１８の球受凹部５７に転入することになる。
【００４９】
図１３は、正に上述した飛入口１４の背後に球受部１８が臨んでいる状態を示すものである。移動装置１３の縦，横の軸１９，２０はこの飛入口１４の真後に交差部５０を置くことになる。
飛入口１４に打球が飛入することによって前記抽選が開始される。抽選の結果が確定すると、この確定に従って予め設定するプログラムにより前記縦軸１９を駆動するモータ３３が作動し、この縦軸１９を左右方向に移動させて所定の位置に移し、また一方、前記横軸２０を駆動するモータ４５を作動して横軸２０を上下に移動させ所定の位置に移し、この両軸１９，２０の移動の合成によって交差部５０を予め定める位置に移動させ、これにより球受部１８を所定の位置に移すことになる。
【００５０】
図１４は、入賞口５９の直上に開口する放出口１７に遊技制御回路の指示に従って飛入球Ｐを受け取った球受部１８を臨ませた状態を示している。
球受部１８の飛入口１４からこの放出口１７までの移動経路は、前記縦，横軸１９，２０の移動順序によって異なることになるが、遊技盤面において左方に位置する飛入口１４から中央部下方にある放出口１７に異動するには、始めに縦軸１９を右方に移動させ、中央部まで達した時点で、次に横軸２０を下降させ、放出口１７背後に送り届ける経路、つまり直線的に直角に交差部５０を移動させて送り届けるものと、縦軸１９と横軸２０の移動順序を逆にして交差部５０を下降させたのち、右方に移動させて放出口１７の背後に至るようにする場合があり、更にこの両軸１９，２０を同時に移動させて飛入口１４から直接放出口１７に向けて直線的に、又場合によっては曲線的に移動させる場合がある。
【００５１】
これらの移動経路の違いは、全て縦，横軸１９，２０の移動順序によって起るもので、制御回路のプログラムによって自由に移動経路を設定することができる。
尚、この実施形態では入賞域１２を形成する蓋板が不透明な合成樹脂板にしてあることから、この蓋板の背面側で実行される縦，横軸１９，２０の移動、そしてその交差部５０の移動は前方から視認できないものとなるが、この蓋板を透明板とした場合にはこれらの移動が視認できるものとなるため、この移動時の変化、そしてこの変化に伴う飛入球Ｐの移送状態、更には遊技者において移送先を予想すること等を楽しむことができることになる。
【００５２】
さて、放出口１７に運ばれた飛入球Ｐは、この放出口を通して前方に送り出され、ここでは放出口の前面の下方に開口する入賞口５９に放出され、入賞の機会に恵まれることになる。つまり、この実施形態においては、放出口１７は「当りゾーン」となっており、極めて入賞確率の高い放出口となっているのである。
【００５３】
尚、前記飛入口１４を通して球受部１８の受部５１に受け入れられた飛入球Ｐは、前傾斜に形成される球受凹部５７に入って常時前方に向けて転り出る状態で受けられるものとしてあり、従って飛入口１４から放出口１５乃至１７に向けて移動する過程では飛入球Ｐは入賞域１２の蓋板の背面に接触して前方への転り出しを防止されながら放出口まで移動し、放出口に達した時点で障害物（蓋板１２）を失うことによってこの放出口を通して前方に転り出るものとなる。
【００５４】
図１５及び図１６は、球受部１８に受け取った飛入球Ｐを中央部の放出口１７に対して左右に位置をずらして設置した放出口１６に移送する場合を示したものである。
この移送は入賞口に直接関りをもたない放出口１６に飛入球Ｐを運ぶことから「外れゾーン」に運ぶものとなり、入賞の機会は少なく、遊技領域３の最下部に設置される入賞口５乃至６に入賞することのみが期待されるものとなる。
【００５５】
図１７は、上記放出口１６，１７に飛入球Ｐを移送する場合、飛入口１４に対して下方に位置する所に運ぶものとなっているが、これとは逆に飛入口１４の位置より高い位置の放出口１５に飛入球Ｐを持ち上げ、放出するようにした場合を示したものである。
この飛入球Ｐの上昇は、移送装置１３の縦，横軸１９，２０の上下，左右方向の移動により球受部１８が上昇することに伴って行われることになる。この場合、放出位置が球の受け取り位置、つまり飛入口１４より高い位置となるため放出口１５から放出された飛入球Ｐは再入賞のチャンスを含め、入賞のチャンスを拡大することになり、遊技者の期待感を高めることになる。
【００５６】
尚、図面には省略しているが、遊技領域３及びこの領域内に位置する入賞域１２の前面部には適宜障害釘が植設され、打ち出された打球Ｐはこれら障害釘の間を縫って落下し、この間に飛入口１４乃至入賞口５，６，５９等に飛入した球が飛入球となり、入賞球となる。
【００５７】
ところで、移送装置１３を構成する上下，左右のガイド手段２１，２１、及び２２，２２は、それぞれカバー２３、２４に収められて矩形に形成した取付台２５にねじ２６で固定し、一体に組付けた状態にして遊技盤１の背面に添わせ、ねじ２７によって固定して入賞域１２を構成する蓋板の背面に沿って縦横の軸１９、２０を添わせることになる。そして、使用時には球の飛入口１４に打球Ｐが飛入し、検出スイッチがこれを検出したとき、制御回路のプログラムに従ってモータ３３、４５を駆動し、縦，横の軸１９、２０を上下並びに左右に走行させ、これに伴って両軸の交差部５０を移動させてこの交差部に設置した移動体の球受部１８をプログラムの設定に従っていずれかの放出口１５〜１７に移動させることになる。
【００５８】
そして、この移動においては球受部１８は入賞域１２の背面に沿って並行に移動し、この間前述したように受部５１に受けた飛入球Ｐをこの入賞域にしている蓋板の背面との間に保持して前方への転出を防止しながら前記いずれかの放出口１５〜１７に送り届けてその背後で止まったとき、前方への転出を許して入賞域１２の前面、つまり遊技盤１の前面側へ送り出すことになる。
勿論、この様な球Ｐの動きを誘導するため、この実施形態では球受部１８の球受凹部５７を前傾斜に形成して前面の障害物、つまり入賞域１２の蓋板がなくなる放出口に達したとき自動的に転がり出るようにしてある。
【００５９】
以上説明したように、本発明の入賞装置は、縦，横の軸１９、２０を上下、左右に動かすことに伴って両軸の交点５０が自由に動くのを利用してこの交差部５０に移動体となる球受部１８を組付け、交差部５０の移動に追随してこの球受部１８を移動する構造としたことから、縦，横の軸１９、２０の移動に伴って両軸の交差部５０が移動する全ての範囲に亘り上記球受部１８を移動させることができるものとなる。そして、この球受部１８の移動は左右方向、上下方向のみならず、斜め方向にも移動が自由であり、更にはこれらの移動に当って縦，横の軸１９、２０の移動順序を操作することで、直線的な移動の他に、両軸１９、２０の移動速度を緩急操作することで曲線的な移動軌跡を描いて移動させることもできるので極めて変化に富んだ球の移動を可能にする。
【００６０】
特に、上記移送装置１３においては、球受部１８を下方から上方に向けて、つまり飛入口１４から上方に位置する放出口１５に向けて上昇させ、受け取った飛入球Ｐを揚送した上で放出し、再入賞の機会を与える如く、従来の遊技盤面を落下する場合のみ視覚させて来た従来のパチンコ遊技機の入賞装置には見られなかった球の動きを遊技者に与えることから極めて新鮮な印象を与えるものとなり、興趣を一層高めるものとなる。
【００６１】
尚、移送装置１３を不透明な蓋板にする入賞域１２の背面に設置した場合は、遊技者は飛入した打球Ｐが放出口１５〜１７を通して再度遊技盤面に現れると言った現われ方の意外性に驚くことになるが、上記蓋板を透明板にして移送装置１３の動き、ことに縦，横の軸１９、２０の動き、そしてこれに伴う移動体となる球受部１８の動きを直接遊技者に視認させる構造とした場合は、その変化を直接楽しむことができるため遊技性を一層向上させることができる。
【００６２】
ところで、前述した本発明の当該実施形態では、移動体たる球受部１８を４本の滑合軸５３によって縦，横の軸１９、２０に滑合させ、支持する構造としたことによって球受部１８を縦，横の軸１９、２０の交差部５０に最も接近させた状態で、しかも最も小型にした状態で付設滑合できるものとなっている。
つまり、上記４本の滑合軸５３は、直交する縦，横の軸１９、２０の交差部５０を囲む４つの隅角部に１本づつの滑合軸５３が差し込まれ、それぞれの滑合軸５３の全てが縦軸１９と横軸２０に滑合する関係におかれることから、４本の滑合軸相互は最も接近した状態で配置されることになって滑合軸を植設するスペースが狭小なものとなり、球受部１８の小型化が実現されている。
【００６３】
この球受部１８の小型化は、球の移動を俊敏に見せることができ、ある種の正確さを印象付けることができるため移送装置として有利に実施できる利点がある。
また、この様な小型化を達成した上で、球受部１８自体は４本の滑合軸５３が、４本共に縦軸１９に滑合し、左右から２本づつが対向して挟み付け、また同時にこの４本の滑合軸５３が横軸２０に対して２本づつが上下向い合って挟み付ける如く滑合する構造となることから振れることが少なく安定した結合が得られるものとなっており、球の受け取り移動において信頼性の高い移動手段を提供するものとなっている。
【００６４】
また、上記滑合軸５３に軸承させるローラー５４，５５は球受部１８の移動を更に円滑にするもので、これを溝付きローラーとすることは上記円滑性を更に高めると同時に、滑合する縦，横の軸１９、２０との接触位置を一定化できることから移動時の安定化を図ることができ、迅速な且つ安定した移動を実現することができるものとなる。
【図面の簡単な説明】
【００６５】
【図１】本発明に係る入賞装置の使用状態を説明する斜視図。
【図２】図１の背面側から見た斜視図。
【図３】遊技盤の遊技領域から入賞域を形成する蓋板を外した状態の斜視図。
【図４】図３の背面側から見た斜視図。
【図５】移送手段たる移送装置を被うカバーを取り除いた状態の斜視図。
【図６】移送装置の斜視図。
【図７】移送装置の分解斜視図。
【図８】移送装置のカバーを取り除いた状態の斜視図。
【図９】縦，横軸の交点に移動体たる球受部を組付けた状態を説明する拡大斜視図。
【図１０】図９の背面側から見た斜視図。
【図１１】球受部から止め板を外した状態を説明する背面側から見た斜視図。
【図１２】球受部と横軸との関係を説明する斜視図。
【図１３】移送装置の移送形態を説明する斜視図。
【図１４】移送装置の移送形態を説明する斜視図。
【図１５】移送装置の移送形態を説明する斜視図。
【図１６】移送装置の移送形態を説明する斜視図。
【図１７】移送装置の移送形態を説明する斜視図。
【符号の説明】
【００６６】
１            遊技盤
３            遊技領域
５，６        入賞口
１１          遊技盤に開設した穴
１２          入賞域（及び入賞域を形成する蓋板）
１３          移送装置
１４          飛入口
１５，１６，１７    放出口
１８          移動体たる球受部
１９          縦軸
２０          横軸
２１          ガイドたる上下のガイド手段
２２          ガイドたる左右のガイド手段
２３          上下のカバー
２４          左右のカバー
２８，３９    ガイドバー
２９，４０    摺動体
３０，４１    プーリー
３１，４２    ベルト
３２，４６    ギヤ
３３，４５    モータ
３６，４４    同期軸
５０          縦軸と横軸の交差部
５１          球受部の受部
５２          球受部の本体部
５３          滑合軸
５４，５５    溝付きローラー
５７          球受凹部
５９          入賞口
【図１】
2009153632.tif 000003
【図２】
2009153632.tif 000004
【図３】
2009153632.tif 000005
【図４】
2009153632.tif 000006
【図５】
2009153632.tif 000007
【図６】
2009153632.tif 000008
【図７】
2009153632.tif 000009
【図８】
2009153632.tif 000010
【図９】
2009153632.tif 000011
【図１０】
2009153632.tif 000012
【図１１】
2009153632.tif 000013
【図１２】
2009153632.tif 000014
【図１３】
2009153632.tif 000015
【図１４】
2009153632.tif 000016
【図１５】
2009153632.tif 000017
【図１６】
2009153632.tif 000018
【図１７】
2009153632.tif 000019